(57)【要約】【課題】本発明の目的は、ＯＮＵ間通信においてＯＬＴ内でのデータトラヒックの輻輳を回避することができる通信装置及び通信方法を提供することである。【解決手段】本発明は、ＯＮＵ間通信が行われる際に、ＯＬＴでＯＮＵ間通信トラヒックを複製し、複製トラヒックを上位ネットワークへ転送する。このため、上位ネットワークに存在する帯域監視装置や帯域管理装置は、ＯＮＵ間通信でどの程度の通信容量が利用されているか、どのような性質のデータトラヒックなのか等の状態を把握することができる。【選択図】図１２
2014230048.tif 000002
【特許請求の範囲】
【請求項１】
複数の加入者装置を収容する下位ネットワークに配置され、前記加入者装置とポイントツーマルチポイントの光通信を行うとともに、前記下位ネットワークと上位ネットワークとを接続する通信装置であって、
前記下位ネットワークの前記加入者装置間で直接通信を行う折り返し通信機能と、
前記折り返し通信機能で前記直接通信を行うデータ信号と少なくとも宛先情報及び送信元情報が同一である複製信号を生成し、前記複製信号を前記上位ネットワークへ送信する複製信号送信機能と、
を備える通信装置。
【請求項２】
前記上位ネットワークへ送信して戻ってきた前記複製信号を廃棄する廃棄機能をさらに備えることを特徴とする請求項１に記載の通信装置。
【請求項３】
前記廃棄機能は、
前記複製信号送信機能が前記複製信号を生成する際に、前記複製信号毎に宛先情報及び送信元情報を記載するテーブルと、
前記上位ネットワークから受信した信号の宛先情報及び送信元情報と前記テーブルに記載された宛先情報及び送信元情報とを照合し、前記上位ネットワークへ送信して戻ってきた前記複製信号であると判断する廃棄判断手段と、
を有することを特徴とする請求項２に記載の通信装置。
【請求項４】
前記複製信号送信機能は、
前記データ信号から前記複製信号を生成する際に宛先情報及び送信元情報以外の任意の部分のデータを任意の内容に変更することを特徴とする請求項１から３のいずれかに記載の通信装置。
【請求項５】
前記下位ネットワーク毎の通信手段と、
前記通信手段からの信号を集線し、前記上位ネットワークと通信する集線手段と、
を備え、複数の前記下位ネットワークに跨って配置されており、
前記集線手段が、前記折り返し通信機能と前記複製信号送信機能を有することを特徴とする請求項１から４のいずれかに記載の通信装置。
【請求項６】
複数の加入者装置を収容する下位ネットワークに配置され、前記加入者装置とポイントツーマルチポイントの光通信を行うとともに、前記下位ネットワークと上位ネットワークとを接続する通信装置の通信方法であって、
前記下位ネットワークの前記加入者装置間で直接通信を行う折り返し通信手順と、
前記折り返し通信手順で前記直接通信を行うデータ信号と少なくとも宛先情報及び送信元情報が同一である複製信号を生成し、前記複製信号を前記上位ネットワークへ送信する複製信号送信手順と、
を行う通信方法。
【請求項７】
前記上位ネットワークへ送信して戻ってきた前記複製信号を廃棄する廃棄手順をさらに行うことを特徴とする請求項６に記載の通信方法。
【請求項８】
前記複製信号送信手順は、
前記データ信号から前記複製信号を生成する際に宛先情報及び送信元情報以外の任意の部分のデータを任意の内容に変更することを特徴とする請求項６又は７に記載の通信方法。
【発明の詳細な説明】
【技術分野】
【０００１】
本発明は、光ファイバ伝送路を介してポイントツーマルチポイントの通信を行う通信装置及び通信方法に関するものである。
【背景技術】
【０００２】
光アクセスシステムの形態として、受動光ネットワーク（ＰＯＮ：Ｐａｓｓｉｖｅ  Ｏｐｔｉｃａｌ  Ｎｅｔｗｏｒｋ）がある。図１に示すように、ＰＯＮは、１つの光加入者線終端装置（ＯＬＴ：Ｏｐｔｉｃａｌ  Ｌｉｎｅ  Ｔｅｒｍｉｎａｌ）３５０が複数の光ネットワーク終端装置（ＯＮＵ：Ｏｐｔｉｃａｌ  Ｎｅｔｗｏｒｋ  Ｕｎｉｔ）４００と光ファイバ伝送路１００および１対ｋ（ｋは自然数）の光分配手段２００を介してポイントツーマルチポイントの通信を行うネットワークである。ＰＯＮシステムの例として、時分割多重（ＴＤＭ：Ｔｉｍｅ  Ｄｉｖｉｓｉｏｎ  Ｍｕｌｔｉｐｌｅｘｉｎｇ）技術を利用したＴＤＭ−ＰＯＮや波長分割多重（ＷＤＭ：Ｗａｖｅｌｅｎｇｔｈ  Ｄｉｖｉｓｉｏｎ  Ｍｕｌｔｉｐｌｅｘｉｎｇ）技術を利用したＷＤＭ−ＰＯＮ、ＴＤＭ技術およびＷＤＭ技術を組み合わせたＷＤＭ／ＴＤＭ−ＰＯＮなどが挙げられる。ＰＯＮの代表的な規格として、ＩＥＥＥ８０２．３ａｈにて標準化されたギガビットクラスのＧＥ−ＰＯＮ（Ｅｔｈｅｒｎｅｔ（登録商標）  ＰＯＮ）および、ＩＥＥＥ８０２．３ａｖによって標準化された、１０ギガビットクラスの１０Ｇ−ＥＰＯＮがある。これらを総称してＥＰＯＮと呼ぶ。
【０００３】
図２にＥＰＯＮにおけるＯＮＵ４００の機能ブロック図を示す。上り主信号は、ＵＮＩ（Ｕｓｅｒ  Ｎｅｔｗｏｒｋ  Ｉｎｔｅｒｆａｃｅ）ポート４１、キュー管理手段４２、ＰＯＮ信号処理手段４３を介してＰＯＮ−ＩＦ（ＰＯＮ  Ｉｎｔｅｒｆａｃｅ）ポート４４へと流れる。一方、下り主信号は、ＰＯＮ−ＩＦポート４４、ＰＯＮ信号処理手段４３、キュー管理手段４２を介してＵＮＩポート４１へと流れる。ＯＮＵ４００は、上り方向に対してキューを備え、キュー内のデータ量を監視するキュー監視手段４５を有している。ＰＯＮ信号処理手段４３には、図３のように、ＯＬＴに対してキュー内のデータ量をＲｅｐｏｒｔメッセージにより報告し、ＯＬＴから上り帯域の割当結果をＧａｔｅメッセージにより受け取るＭＰＣＰ（Ｍｕｌｔｉ−Ｐｏｉｎｔ  Ｃｏｎｔｒｏｌ  Ｐｒｏｔｏｃｏｌ）部４３ａと、ＯＬＴと保守監視用の制御フレームをやり取りするＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ）部４３ｂが具備されている。
【０００４】
図４にＥＰＯＮにおけるＯＬＴが備えるＰＯＮ−ＩＦ３００の機能ブロック図を示す。下り主信号は、ＳＮＩ（Ｓｅｒｖｉｃｅ  Ｎｏｄｅ  Ｉｎｔｅｒｆａｃｅ）ポート３４、キュー管理手段３３、ＰＯＮ信号処理手段３２を介してＰＯＮ−ＩＦポート３１へと流れる。一方、上り主信号は、ＰＯＮ−ＩＦポート３１、ＰＯＮ信号処理手段３２、キュー管理手段３３を介してＳＮＩポート３４へと流れる。ＰＯＮ信号処理手段３２は、図３のように、ＯＮＵに対してＯＮＵに備えられたキュー内のデータ量をＲＥＰＯＲＴメッセージにより報告させ、上り帯域の割当結果をＧＡＴＥメッセージによりＯＮＵに通知するＭＰＣＰ部３２ａと、ＯＮＵから受信した報告メッセージをもとにＯＮＵ内のキューのデータ量を監視し、動的帯域割当（ＤＢＡ：Ｄｙｎａｍｉｃ  Ｂａｎｄｗｉｄｔｈ  Ａｌｌｏｃａｔｉｏｎ）アルゴリズムにより各ＯＮＵへ送信順番および送信可能なデータ量の割当を行う帯域割当部３２ｂと、ＯＮＵと保守監視用の制御フレームをやり取りするＯＡＭ部３２ｃが具備されている。
【０００５】
（ＷＤＭ−ＰＯＮ、ＷＤＭ／ＴＤＭ−ＰＯＮ）
ＰＯＮシステムの高機能化／広帯域化に向け、近年、ＷＤＭ技術を用いたＰＯＮシステムの研究開発が進められている。ＷＤＭ−ＰＯＮでは、ＯＮＵごとに波長を割り当てていることで、広帯域なサービスを実現する。また、ＷＤＭ技術とＴＤＭ技術を組合せ、複数のＰＯＮブランチをＷＤＭ／ＴＤＭ−ＰＯＮも提案されている。ＷＤＭ／ＴＤＭ−ＰＯＮではＯＮＵ毎に異なる波長を用いる代わりに、ＯＮＵを複数のグループにグルーピングし、そのグループ間でＷＤＭ、グループ内でＴＤＭを適用することで、波長利用効率の高い広帯域なサービスを実現するがある（例えば、非特許文献１を参照。）。
【０００６】
（ＯＮＵ間通信）
図５はＯＬＴを介したＯＮＵ間通信の図を示している。ＯＮＵ間通信は同一のＰＯＮまたは、同一のＯＬＴ３５０に所属するＯＮＵ４００同士が通信を行う場合に、ＯＬＴ３５０で信号を折り返し、通信を行う。これにより、ＯＮＵ４００同士は上位ネットワーク１０の装置を介せずに通信を行うことができ、通信遅延の低減を図ることができる（例えば、非特許文献２を参照。）。また、このＯＮＵ間通信は信号データの折り返しデータをＯＬＴ３５０で行うため、ＴＤＭ−ＰＯＮの他、ＷＤＭ−ＰＯＮ、ＷＤＭ／ＴＤＭ−ＰＯＮなど、各種ＰＯＮ方式に適応できる。また、このＯＮＵ間通信は、図５のような単数のＰＯＮ−ＩＦ内で行われるだけでなく、図６のように、ＯＬＴ３５１が複数のＰＯＮ−ＩＦ３１を有し、ＯＬＴ３５１が収容するＯＮＵ間で通信を行なってもよい。その際、ＯＬＴ３５１は、信号をＰＯＮ−ＩＦ３１間で流通させるために集線手段３６が必要となる。
【０００７】
ＯＮＵ間通信は特定のエリア内で低遅延な通信が必要なアプリケーションに有効であり、スマートコミュニティでのＣＥＭＳ（Ｃｌｕｓｔｅｒ  Ｅｎｅｒｇｙ  Ｍａｎａｇｅｍｅｎｔ  Ｓｙｓｔｅｍ）や、マイクログリッドにおける、配電制御などへの適用が期待されている。
【０００８】
（ネットワーク監視）
一方、ネットワークにおける帯域監視／帯域管理は通信品質を担保する上で、重要な機能であり、これらの監視装置は上位ネットワーク側に設置さている（ＯＬＴの上位ネットワーク）。非特許文献３では帯域管理装置は上位ネットワーク内に存在するルータから、帯域の利用状況を把握し、最適な品質となるよう管理し、アクセスネットワークに向けてデータ転送を行う。そのため、これらの装置を用いる場合、図７のように、同じＯＬＴ３５１に所属するＯＮＵ４００同士の通信でも、一度、帯域監視／帯域管理１５がある上位ネットワーク１０までデータトラヒックを転送する必要がある。
【先行技術文献】
【非特許文献】
【０００９】
【非特許文献１】「総帯域拡張型ＷＤＭ／ＴＤＭ−ＰＯＮと動的波長帯域割当の一提案」、吉野學、原一貴、中村浩崇、木村俊二、吉本直人、雲崎清美、２００９年電子情報通信学会総合大会、通信講演論文集２
【非特許文献２】「ＯＮＵ間通信機能を利用したスマートコミュニティ向け低遅延アクセスサービスの提案」、田所  将志、久保  尊広、山田  崇史、鈴木  謙一、吉本  直人、久保  亮吾、電子情報通信学会  総合大会
【非特許文献３】ＮＴＴ技術ジャーナル２００８．１０    ＮＧＮにおける帯域管理制御技術、宮坂昌宏  堀米紀貴、岸田好司
【発明の概要】
【発明が解決しようとする課題】
【００１０】
しかし、ＯＬＴにて折り返すＯＮＵ間通信を行う場合、該当データトラヒックは、ＯＬＴで折り返されてしまうため、帯域監視装置や帯域管理装置は、このＯＮＵ間通信でどの程度の通信容量が利用されているか、どのような性質のデータトラヒックなのか、状態を把握することが著しく困難である。このＯＮＵ間通信による帯域利用状況が把握できていない状況で、帯域監視装置や帯域管理装置はＯＬＴに対し、下り信号を送信してしまうと、上位ネットワークからの下り信号帯域とＯＮＵ間通信帯域の和が、ＯＬＴの処理可能な帯域を超えてしまい、ＯＬＴ内で輻輳が発生する恐れがある。すなわち、ＯＬＴにて折り返すＯＮＵ間通信には、ＯＬＴ内でのデータトラヒックの輻輳を回避する手段が必要という課題があった。
【００１１】
本発明は、このような課題を鑑みてなされたものであり、ＯＮＵ間通信においてＯＬＴ内でのデータトラヒックの輻輳を回避することができる通信装置及び通信方法を提供することを目的とする。
【課題を解決するための手段】
【００１２】
本発明は、上記課題を解決するために、ＯＮＵ間通信おけるデータトラヒックについて、ＯＬＴよりも上位の上位ネットワーク等に存在する帯域監視装置及び帯域管理装置に通知することとした。
【００１３】
具体的には、本発明に係る通信装置は、複数の加入者装置を収容する下位ネットワークに配置され、前記加入者装置とポイントツーマルチポイントの光通信を行うとともに、前記下位ネットワークと上位ネットワークとを接続する通信装置であって、
前記下位ネットワークの前記加入者装置間で直接通信を行う折り返し通信機能と、
前記折り返し通信機能で前記直接通信を行うデータ信号と少なくとも宛先情報及び送信元情報が同一である複製信号を生成し、前記複製信号を前記上位ネットワークへ送信する複製信号送信機能と、
を備える。
【００１４】
具体的には、本発明に係る通信方法は、複数の加入者装置を収容する下位ネットワークに配置され、前記加入者装置とポイントツーマルチポイントの光通信を行うとともに、前記下位ネットワークと上位ネットワークとを接続する通信装置の通信方法であって、
前記下位ネットワークの前記加入者装置間で直接通信を行う折り返し通信手順と、
前記折り返し通信手順で前記直接通信を行うデータ信号と少なくとも宛先情報及び送信元情報が同一である複製信号を生成し、前記複製信号を前記上位ネットワークへ送信する複製信号送信手順と、
を行う。
【００１５】
本発明は、ＯＮＵ間通信が行われる際に、ＯＬＴでＯＮＵ間通信トラヒックを複製し、複製トラヒックを上位ネットワークへ転送する。このため、上位ネットワークに存在する帯域監視装置や帯域管理装置は、ＯＮＵ間通信でどの程度の通信容量が利用されているか、どのような性質のデータトラヒックなのか等の状態を把握することができる。従って、本発明は、ＯＮＵ間通信においてＯＬＴ内でのデータトラヒックの輻輳を回避することができる通信装置及び通信方法を提供することができる。さらに、本発明は、上位ネットワーク内に存在する帯域監視装置や帯域管理装置への改良を加える必要も無い。
【００１６】
本発明に係る通信装置は、前記上位ネットワークへ送信して戻ってきた前記複製信号を廃棄する廃棄機能をさらに備える。
【００１７】
本発明に係る通信装置の前記廃棄機能は、
前記複製信号送信機能が前記複製信号を生成する際に、前記複製信号毎に宛先情報及び送信元情報を記載するテーブルと、
前記上位ネットワークから受信した信号の宛先情報及び送信元情報と前記テーブルに記載された宛先情報及び送信元情報とを照合し、前記上位ネットワークへ送信して戻ってきた前記複製信号であると判断する廃棄判断手段と、
を有する。
【００１８】
本発明に係る通信方法は、前記上位ネットワークへ送信して戻ってきた前記複製信号を廃棄する廃棄手順をさらに行う。
【００１９】
複製して上位ネットワークに送信した複製信号は再び本通信装置に転送されてくることになるが、複製元の信号はすでに宛先ＯＮＵへ送信済みであるため、複製信号を宛先ＯＮＵへ転送する必要は無い。戻ってきた複製信号を廃棄することで、下位ネットワークのトラヒック量を低減させることができる。
【００２０】
本発明に係る通信装置の前記複製信号送信機能は、前記データ信号から前記複製信号を生成する際に宛先情報及び送信元情報以外の任意の部分のデータを任意の内容に変更することを特徴とする。
【００２１】
本発明に係る通信方法の前記複製信号送信手順は、前記データ信号から前記複製信号を生成する際に宛先情報及び送信元情報以外の任意の部分のデータを任意の内容に変更することを特徴とする。
【００２２】
上位ネットワークへ転送する複製信号の内容を消化又は任意の内容に書き換えることでトラヒックの秘匿性を保つことができる。
【００２３】
本発明に係る通信装置は、前記下位ネットワーク毎の通信手段と、
前記通信手段からの信号を集線し、前記上位ネットワークと通信する集線手段と、
を備え、複数の前記下位ネットワークに跨って配置されており、
前記集線手段が、前記折り返し通信機能と前記複製信号送信機能を有することを特徴とする。
【００２４】
複数の下位ネットワーク間でＯＮＵ間通信を行うことができる。
【発明の効果】
【００２５】
本発明は、ＯＮＵ間通信においてＯＬＴ内でのデータトラヒックの輻輳を回避することができる通信装置及び通信方法を提供することができる。
【図面の簡単な説明】
【００２６】
【図１】光通信システムの形態を説明する図である。
【図２】ＯＮＵを説明する機能ブロック図である。
【図３】光通信システムの動作を説明するシーケンス図である。
【図４】ＯＬＴが備えるＰＯＮ−ＩＦを説明する機能ブロック図である。
【図５】ＯＮＵ間通信を説明する図である。
【図６】ＯＮＵ間通信を説明する図である。
【図７】課題を説明する図である。
【図８】本発明に係る通信装置を説明する機能ブロック図である。
【図９】本発明に係る通信方法を説明するシーケンス図である。
【図１０】本発明に係る通信装置を説明する機能ブロック図である。
【図１１】本発明に係る通信方法を説明するシーケンス図である。
【図１２】本発明に係る通信方法を説明する図である。
【図１３】本発明に係る通信装置が備えるテーブルを説明する図である。
【図１４】本発明に係る通信装置が生成する複製信号を説明する図である。
【発明を実施するための形態】
【００２７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２８】
以下に説明する実施形態の光ネットワークシステムについて、ＩＥＥＥ標準のＥＰＯＮである１Ｇ−ＥＰＯＮおよび１０Ｇ−ＥＰＯＮを例に挙げて説明する。光ネットワークシステムの基本構成は図１または図５のようになる。ＯＬＴが備えるＰＯＮ−ＩＦの機能構成例は図８の通りになる。また、ＯＬＴに集線機能を有する場合の機能構成例は図１０の通りになる。なお、上記説明の「通信装置」とは、本実施形態の「ＯＬＴ」に相当する。
【００２９】
図８は、ＯＬＴ３５１を説明する機能ブロック図である。
ＯＬＴ３５１は、複数の加入者装置を収容する下位ネットワークに配置され、前記加入者装置とポイントツーマルチポイントの光通信を行うとともに、前記下位ネットワークと上位ネットワークとを接続する通信装置であって、
前記下位ネットワークの前記加入者装置間で直接通信を行う折り返し通信機能と、前記折り返し通信機能で前記直接通信を行うデータ信号と少なくとも宛先情報及び送信元情報が同一である複製信号を生成し、前記複製信号を前記上位ネットワークへ送信する複製信号送信機能と、を備える。ここで、折り返し通信機能及び複製信号送信機能は、ＰＯＮ信号処理手段３２、キュー管理手段３３及び折り返し判断手段３７が担っている。
【００３０】
下り主信号は、ＳＮＩ（Ｓｅｒｖｉｃｅ  Ｎｏｄｅ  Ｉｎｔｅｒｆａｃｅ）ポート３４、キュー管理手段３３、ＰＯＮ信号処理手段３２、ＰＯＮ−ＩＦポート３１を介して該当ＯＮＵ４００へ向け出力される。一方、上り主信号は、ＰＯＮ−ＩＦポート３１、ＰＯＮ信号処理手段３２、キュー管理手段３３、信号送信手段３５を介してＳＮＩポート３４へと流れる。さらに、ＯＬＴ３５１において折り返し通信を行うＯＮＵ間通信主信号は、ＰＯＮ−ＩＦポート３１、ＰＯＮ信号処理手段３２、キュー管理手段３３と流れる。
【００３１】
ＰＯＮ信号処理手段３２は、ＯＮＵ４００に対してＯＮＵに備えられたキュー内のデータ量の情報をＲＥＰＯＲＴメッセージにより報告させ、ＧＡＴＥメッセージによりＯＮＵ４００に通知する。ＰＯＮ信号処理手段３２は、ＯＮＵ４００から受信した報告メッセージをもとにＯＮＵ内のキューのデータ量を監視し、ＤＢＡアルゴリズムにより各ＯＮＵ４００へ送信順番および送信可能なデータ量の割当を行う。
【００３２】
図１２は、ＯＬＴ折り返しによるＯＮＵ間信号を行う通信方法を説明する図である。ＯＬＴ折り返しによるＯＮＵ間通信を行う場合、信号は、ＯＬＴ内のキュー管理手段３３に到達し、折り返し判断手段３７の判断により、再びＰＯＮ信号処理手段３２に戻されＯＮＵ間通信の下り信号として、該当するＯＮＵ４００へ向け転送される。このとき、ＯＬＴ３５１はＯＮＵ間通信で用いられたデータを上位ネットワーク１０の帯域監視／制御装置１５へ報告する必要がある。このため、折り返し判断手段３７は、キュー管理手段３３に該当データを複製させ、信号送信手段３５に複製データ（複製信号）を上位ネットワーク１０へ向けて出力させる。
【００３３】
ＯＬＴ３５１は、前記上位ネットワークへ送信して戻ってきた前記複製信号を廃棄する廃棄機能をさらに備える。廃棄機能は、廃棄判断手段３８とキュー管理手段３３が担う。ＯＬＴ３５１から上位ネットワーク１０へ出力される複製信号の宛先は、ＯＬＴ３５１配下のＯＮＵ４００に接続する端末装置である。複製信号は、上位ネットワーク１０を介し、帯域監視／制御装置１５の監視／管理を受け、再びＯＬＴ３５１へ戻る。廃棄判断手段３８は、この信号を複製後にＯＬＴ３５１へ戻った複製信号と判断する。オリジナルのデータは既にＯＮＵ４００に届けられているため、廃棄判断手段３８は、キュー管理手段３３に当該複製信号を廃棄させる。
【００３４】
（第１実施例）
［同一ＰＯＮ区間内でのＯＮＵ間通信］
図８は、第１実施例の光ネットワークシステムを説明する図である。また、図８は、下位ネットワーク２０に含まれるＯＬＴ３５１の構成を説明する図でもある。本実施例は、図８に示すように、上位ネットワーク１０と下位ネットワーク２０とがＯＬＴ３５１を介して接続している。ＰＯＮ−ＩＦ３０１と複数のＯＮＵ４００とは光分配手段２００を介して接続する。ＯＮＵ間通信の上り信号をＰＯＮ−ＩＦ３０１で折り返す形態において、ＰＯＮ−ＩＦ３０１が折り返し信号を受信した場合、キュー管理手段３３は折り返し判断手段３７の判断により当該データを宛先ＯＮＵへ折り返し、ＰＯＮの下り信号として出力する。同時に、該当データはキュー管理手段３３で複製され、信号送信手段３５から複製信号として上位ネットワーク１０へ向けて出力される。
【００３５】
図９は、この時の光通信システムのシーケンスを説明する図である。ＯＮＵから送信されるＯＮＵ間通信データは、まずＯＮＵのＱｕｅｕｅに蓄積される。ＯＮＵは蓄積された該当データをＯＬＴへ送信するためにＲｅｐｏｒｔを用い、ＯＬＴへデータ送信リクエストを求める。ＯＬＴはＯＮＵからのＲｅｐｏｒｔを受け、状況に応じたデータ送信許可（Ｇａｔｅ）をＯＮＵへ与える。Ｇａｔｅを受けたＯＮＵはＧａｔｅの送信許可情報に応じた内容で、ＯＬＴへデータを送信する。ＯＬＴへ到達した信号はキュー管理手段３３に入力され、宛先のＯＮＵへ向け、再びＰＯＮ側へ出力される。その際、そのデータはキュー管理手段３３にて複製され、ＳＮＩポート３４から出力される。
【００３６】
廃棄機能は、上位ネットワーク１０へ送信して戻ってきた前記複製信号を廃棄する。
前記廃棄機能は、
前記複製信号送信機能が前記複製信号を生成する際に、前記複製信号毎に宛先情報及び送信元情報を記載するテーブルと、
上位ネットワーク１０から受信した信号の宛先情報及び送信元情報と前記テーブルに記載された宛先情報及び送信元情報とを照合し、上位ネットワーク１０へ送信して戻ってきた前記複製信号であると判断する廃棄判断手段３８と、
を有する。
具体的には、廃棄判断手段３８がテーブルを有する。複製信号を上位ネットワーク１０へ送信するとき、ＰＯＮ−ＩＦ３０１またはＯＬＴ３５１は上位ネットワーク１０へ出力した複製信号の宛先情報及び送り元情報を図１３のテーブルに記録する。このとき、図１３のテーブルに記録される情報は、複製されたデータから記録してもよいし、折り返し判断がなされた後の、オリジナルのデータから該当情報を抽出してもよい。
【００３７】
この時、ＯＬＴ３５１はＯＮＵ４００からの転送されてくるデータのアドレスを全て把握する必要があるが、アドレス解析やテーブルの容量等の制限がある。ＯＬＴ折り返しによるＯＮＵ間通信のデータに特定の優先度付けを行うことにより、ＯＬＴは該当する優先度のみのデータを解析する。これにより、アドレス解析による処理負荷や、アドレス記録のためのテーブルの容量を少なくすることができる。
【００３８】
信号送信手段３５から複製信号を上位ネットワーク１０へ向けて出力する。出力される複製信号の宛先がＯＬＴ３５１配下のＯＮＵ４００に接続する端末装置であることから、当該複製信号は上位ネットワーク１０を介し、帯域監視／制御装置１５の監視／管理を受け、再びＯＬＴ３５１へ戻る。廃棄判断手段３８は、ＯＬＴ３５１へ戻った複製信号と図１３のテーブル情報とを照合し、一致した場合は複製後にＯＬＴに戻ってきたデータと判断する。そして、廃棄判断手段３８はキュー管理手段３３に当該複製信号を廃棄させる。
【００３９】
なお、ＯＮＵ間通信の量が極めて少なく、上記の帯域監視／制御装置１５への影響が無視できると判断できる場合、上位ネットワーク１０へ複製信号を送信しなくてもよい。このことで、不要な通信を控え、セキュリティ性を向上させることができる。
【００４０】
（第２実施例）
［ＰＯＮ単位での（複数ＰＯＮ区間を跨ぐ）ＯＮＵ間通信］
図１０は、第２実施例の光ネットワークシステムを説明する図である。また、図１０は、下位ネットワーク２０に含まれるＯＬＴ３５２の構成を説明する図でもある。本実施例は、図１０に示すように、上位ネットワーク１０と下位ネットワーク２０とがＯＬＴ３５２を介して接続している。
【００４１】
ＯＬＴ３５２は、下位ネットワーク２０毎の通信手段と、前記通信手段からの信号を集線し、上位ネットワーク１０と通信する集線手段３６ａと、を備え、複数の下位ネットワーク２０に跨って配置されており、集線手段３６ａが、前記折り返し通信機能と前記複製信号送信機能を有する。ここで、「通信手段」とは、ＰＯＮ−ＩＦ３０２である。ＰＯＮ−ＩＦ３０２は、複数のＯＮＵ４００が光分配手段２００を介して接続される。そして、ＯＬＴ３５２はＰＯＮ−ＩＦ３０２を複数具備し、さらにこれらを集線手段３６ａで接続する。本実施例は、ＯＮＵ間通信の上り信号を集線手段３６ａで折り返す形態である。
【００４２】
ＰＯＮ−ＩＦ３０２から出力される上り方向のデータを集線手段３６ａが受けた場合、当該データは集線信号処理手段５２に入力され、集線キュー管理手段５１に入力される。ＯＬＴ折り返しによるＯＮＵ間通信データを受信した場合、集線キュー管理手段５１は折り返し判断手段３７の判断により当該データを宛先ＯＮＵへ折り返し、ＰＯＮの下り信号として出力する。同時に、該当データは集線キュー管理手段５１で複製され、信号送信手段３５から複製信号として上位ネットワーク１０へ向けて出力される。
【００４３】
図１１は、この時の光通信システムのシーケンスを説明する図である。ＯＮＵから送信されるＯＮＵ間通信データは、まずＯＮＵのＱｕｅｕｅに蓄積される。ＯＮＵは蓄積された該当データをＯＬＴへ送信するためにＲｅｐｏｒｔを用い、ＯＬＴへデータ送信リクエストを求める。ＯＬＴはＯＮＵからのＲｅｐｏｒｔを受け、状況に応じたデータ送信許可（Ｇａｔｅ）をＯＮＵへ与える。Ｇａｔｅを受けたＯＮＵはＧａｔｅの送信許可情報に応じた内容で、ＯＬＴへデータを送信する。ＯＬＴへ到達した信号は集線キュー管理手段に入力され、宛先のＯＮＵへ向け、再びＰＯＮ側へ出力される。その際、そのデータは集線キュー管理手段にて複製され、ＳＮＩから出力される。
【００４４】
このとき、第１実施例で説明したように、集線手段３６ａまたはＯＬＴ３５２は上位ネットワーク１０へ出力した複製信号の宛先情報及び送り元情報を図１３のテーブルに記録する。また、第１実施例で説明したように、処理負荷軽減やテーブル容量削減を行うこともできる。なお、本実施例では、廃棄判断手段３８は、集線手段３６ａに配置される。
【００４５】
廃棄判断手段３８は、ＯＬＴ３５２へ戻った複製信号と図１３のテーブル情報と照合し、一致した場合は複製後にＯＬＴに戻ったデータと判断する。そして、廃棄判断手段３８は集線キュー管理手段５１に当該複製信号を廃棄させる。
【００４６】
なお、ＯＮＵ間通信の量が極めて少ない場合、第１実施例で説明したように上位ネットワーク１０へ複製信号を送信しなくてもよい。
【００４７】
（第３実施例）
複製信号送信機能は、データ信号から複製信号を生成する際に宛先情報及び送信元情報以外の任意の部分のデータを任意の内容に変更することを特徴とする。第１実施例及び第２実施例において、ＯＮＵ間通信データの複製の際に、図１４のようにペイロード内のデータを書き換えてもよい。このように複製信号の内容を書き換えることで上位ネットワーク１０において、第三者がＯＮＵ間通信のデータを読み取ることができなくなり、情報の秘匿性が向上する。ペイロードの書き換え内容については任意であり、ランダムな数値を上書きしてもよいし、ペイロード内の一部（経路選択に必要なＩＰアドレス情報は保全など）を残し、それ以外のペイロード部をランダムな数値に上書きしてもよい。また、該当部分にランダムな数値以外にもＯＬＴが任意の情報を上書きしてもよい。この場合、ＯＬＴは該当部分に任意の情報を書き込むことで、ＯＬＴは複製信号が上位ネットワークから戻ってきたときに、自らが送信した情報であることを確認することができる。
【００４８】
（本発明の効果）
本発明は、ＰＯＮのＯＬＴ折り返し機能を用いたＯＮＵ間通信において、ＯＮＵ間通信のデータを複製し、上位ネットワークへ出力することにより、上位ネットワーク内に存在する帯域監視／管理装置に対し、現状の装置構成のまま、ＯＬＴ配下のＯＮＵ間通信に関する情報を伝えることができるため、ＯＮＵ間通信機能の導入に際し、低コスト化が図れる。
【００４９】
（付記）
以下は、本実施形態のＯＬＴを説明したものである。
（１）：
複数の加入者装置と光ファイバ伝送路を介してポイントツーマルチポイントの通信を行う局側装置であって、局側装置に所属する加入者装置間で局側装置を介し直接通信を行う際、局側装置が通信データを複製し、上位の装置に当該データを上位ネットワーク側の装置へ伝送し、（上位ネットワーク側から当該データが戻ってきた際に廃棄する）機能を備えることを特徴とする局側装置。
【００５０】
（２）：
複数の加入者装置と光ファイバ伝送路を介してポイントツーマルチポイントの通信を行う通信手段を複数搭載し、これらの通信手段からの信号を集線し、上位ネットワークと通信する手段を有する局側装置であって、局側装置に所属する加入者装置間で局側装置を介し直接通信を行う際、局側装置が通信データを複製し、上位の装置に当該データを上位ネットワーク側の装置へ伝送し、（上位ネットワーク側から当該データが戻ってきた際に廃棄する）機能を備えることを特徴とする局側装置。
【００５１】
（３）：
上記（１）、（２）において、局側装置に所属する加入者装置間で局側装置を介し直接通信を行い、さらに局側装置が通信データを複製する際、通信データの任意の部分を、任意の内容に変更する機能を備えることを特徴とする局側装置。
【００５２】
本発明はＯＮＵ間通信が行われる際に、ＯＬＴでＯＮＵ間通信トラヒックを複製し、複製トラヒックを上位ネットワークへ転送することで、上位ネットワーク内に存在する、帯域監視装置や帯域管理装置等のハードウェアまたは、ソフトウェアの改良を加えること無くＯＮＵ間通信のトラヒックを通知することができる。
【符号の説明】
【００５３】
１０：上位ネットワーク
１５：帯域監視／管理装置
２０：下位ネットワーク
３１：ＰＯＮ−ＩＦポート
３２：ＰＯＮ信号処理手段
３２ａ：ＭＰＣＰ部
３２ｂ：帯域割当部
３２ｃ：ＯＡＭ部
３３：キュー管理手段
３４：ＳＮＩポート
３６、３６ａ：集線手段
３７：折り返し判断手段
３８：廃棄判断手段
４１：ＵＮＩポート
４２：キュー管理手段
４３：ＰＯＮ信号処理手段
４３ａ：ＭＰＣＰ部
４３ｂ：ＯＡＭ部
４４：ＰＯＮ−ＩＦポート
４５：キュー監視手段
１００：光ファイバ伝送路
２００：スプリッタ
３００、３０１、３０２：ＰＯＮ−ＩＦ
３５０、３５１、３５２：ＯＬＴ
４００：ＯＮＵ
【図１】
2014230048.tif 000003
【図２】
2014230048.tif 000004
【図３】
2014230048.tif 000005
【図４】
2014230048.tif 000006
【図５】
2014230048.tif 000007
【図６】
2014230048.tif 000008
【図７】
2014230048.tif 000009
【図８】
2014230048.tif 000010
【図９】
2014230048.tif 000011
【図１０】
2014230048.tif 000012
【図１１】
2014230048.tif 000013
【図１２】
2014230048.tif 000014
【図１３】
2014230048.tif 000015
【図１４】
2014230048.tif 000016